(57)【要約】【課題】製品の生産に用いる部品の保管に必要な保管面積を算出し評価する部品保管面積評価シミュレーションで使用する評価モデルの選択を支援する評価モデル選択支援システム、評価モデル選択支援方法、及び評価モデル選択支援プログラムを提供する。【解決手段】評価モデルと対応させて、必要データ情報及び指数算出用データ情報を収集し、収集した内容を記憶する。また、評価モデルの実行に必要となるデータの中で既知のデータを収集し、記憶する。そして、必要データ情報が記憶された評価モデルの中から、必要データ情報が示す種類に属するデータが全て記憶された評価モデルを実行可能モデルとして抽出し、さらに、記憶されたデータの中から実行可能モデルの実行に使用する使用データを選択し、収集した後、収集した使用データに基づいて結果精度指数を算出し、算出された結果精度指数を実行可能モデルと対応させて表示する構成とする。【選択図】図1
2009116406.tif 000002
【特許請求の範囲】
【請求項１】
製品の生産に用いる部品の保管に必要な保管面積を算出し評価する部品保管面積評価シミュレーションで使用する評価モデルの選択を支援する評価モデル選択支援システムであって、
評価モデルと対応させて、評価モデルの実行に必要となるデータの種類を示す必要データ情報、及び評価モデルの実行結果の精度を示す結果精度指数の算出用として使用するデータの種類を示す指数算出用データ情報を収集する評価モデル用情報収集手段と、
評価モデルと対応させて、前記評価モデル用情報収集手段で収集した必要データ情報及び指数算出用データ情報を記憶する評価モデル用情報記憶手段と、
評価モデルの実行に必要となるデータの中で既知のデータを収集する既知データ収集手段と、
前記既知データ収集手段で収集したデータを記憶する既知データ記憶手段と、
前記評価モデル用情報記憶手段に必要データ情報が記憶されている評価モデルの中から、必要データ情報が示す種類に属するデータが全て前記既知データ記憶手段に記憶されている評価モデルを抽出し、実行可能モデルとする実行可能モデル抽出手段と、
実行可能モデルに対応づけられている必要データ情報が示す種類に属する前記既知データ記憶手段に記憶されている複数のデータの中から、実行可能モデルを実行する際に使用するデータを使用データとして選択し、収集する使用データ収集手段と、
実行可能モデルと対応づけられている指数算出用データ情報が示す種類に属する使用データに基づいて実行可能モデルの結果精度指数を算出する算出手段と、
実行可能モデルと対応させて、前記使用データ収集手段で収集された使用データ及び前記算出手段で算出された結果精度指数を表示する結果表示手段と
を備えることを特徴とする評価モデル選択支援システム。
【請求項２】
請求項１に記載の評価モデル選択支援システムであって、
前記評価モデル用情報収集手段は、評価モデルと対応させて、評価モデルの実行により算出される内容を示す算出情報を収集し、
前記評価モデル用情報記憶手段は、評価モデルと対応させて、前記評価モデル用情報収集手段で収集された算出情報を記憶し、
前記結果表示手段は、実行可能モデルと対応させて、前記評価モデル用情報記憶手段に記憶されている算出情報を表示することを特徴とする評価モデル選択支援システム。
【請求項３】
請求項１又は請求項２に記載の評価モデル選択支援システムであって、
前記結果表示手段により対応づけて表示された１つ以上の実行可能モデルと使用データの組み合わせの中から１つの組み合わせを決定する実行モデル決定手段を備えることを特徴とする評価モデル選択支援システム。
【請求項４】
請求項１乃至請求項３のいずれか１つに記載の評価モデル選択支援システムであって、
前記評価モデル用情報収集手段で収集される指数算出用データ情報が示す種類に属するデータは、部品１台当たりの面積を示す部品面積データであり、
前記算出手段は、製品の生産に用いられる全部品の前記面積の合計値に対する、前記使用データ収集手段で使用データとして収集された全ての部品面積データが示す前記面積の合計値の割合を、結果精度指数として算出することを特徴とする評価モデル選択支援システム。
【請求項５】
請求項４に記載の評価モデル選択支援システムであって、
前記算出手段は、製品の生産に用いられる全部品の個数に対する、前記使用データ収集手段で使用データとして収集された部品面積データの個数の割合を、実行可能モデルの実行に要する時間の度合を示す実行時間指数として算出し、
前記結果表示手段は、実行可能モデルと対応させて、前記算出手段で算出された実行時間指数を表示する
ことを特徴とする評価モデル選択支援システム。
【請求項６】
製品の生産に用いる部品の保管に必要な保管面積を算出し評価する部品保管面積評価シミュレーションで使用する評価モデルの選択を支援する評価モデル選択支援方法であって、
評価モデルと対応させて、評価モデルの実行に必要となるデータの種類を示す必要データ情報、及び評価モデルの実行結果の精度を示す結果精度指数の算出用として使用するデータの種類を示す指数算出用データ情報を収集する評価モデル用情報収集ステップと、
評価モデルと対応させて、前記評価モデル用情報収集ステップで収集した必要データ情報及び指数算出用データ情報を記憶する評価モデル用情報記憶ステップと、
評価モデルの実行に必要となるデータの中で既知のデータを収集する既知データ収集ステップと、
前記既知データ収集ステップで収集したデータを記憶する既知データ記憶ステップと、
前記評価モデル用情報記憶ステップで必要データ情報が記憶された評価モデルの中から、必要データ情報が示す種類に属するデータが全て前記既知データ記憶ステップで記憶された評価モデルを抽出し、実行可能モデルとする実行可能モデル抽出ステップと、
実行可能モデルに対応づけられている必要データ情報が示す種類に属する前記既知データ記憶ステップで記憶された複数のデータの中から、実行可能モデルを実行する際に使用するデータを使用データとして選択し、収集する使用データ収集ステップと、
実行可能モデルと対応づけられている指数算出用データ情報が示す種類に属する使用データに基づいて実行可能モデルの結果精度指数を算出する算出ステップと、
実行可能モデルと対応させて、前記使用データ収集ステップで収集された使用データ及び前記算出ステップで算出された結果精度指数を表示する結果表示ステップと
を備えることを特徴とする評価モデル選択支援方法。
【請求項７】
コンピュータに、製品の生産に用いる部品の保管に必要な保管面積を算出し評価する部品保管面積評価シミュレーションで使用する評価モデルの選択を支援させる評価モデル選択支援プログラムであって、
コンピュータに、評価モデルと対応させて、評価モデルの実行に必要となるデータの種類を示す必要データ情報、及び評価モデルの実行結果の精度を示す結果精度指数の算出用として使用するデータの種類を示す指数算出用データ情報を収集させる評価モデル用情報収集ステップと、
コンピュータに、評価モデルと対応させて、前記評価モデル用情報収集ステップで収集した必要データ情報及び指数算出用データ情報を記憶させる評価モデル用情報記憶ステップと、
コンピュータに、評価モデルの実行に必要となるデータの中で既知のデータを収集させる既知データ収集ステップと、
コンピュータに、前記既知データ収集ステップで収集したデータを記憶させる既知データ記憶ステップと、
コンピュータに、前記評価モデル用情報記憶ステップで必要データ情報が記憶された評価モデルの中から、必要データ情報が示す種類に属するデータが全て前記既知データ記憶ステップで記憶された評価モデルを抽出させ、実行可能モデルとさせる実行可能モデル抽出ステップと、
コンピュータに、実行可能モデルに対応づけられている必要データ情報が示す種類に属する前記既知データ記憶ステップで記憶された複数のデータの中から、実行可能モデルを実行する際に使用するデータを使用データとして選択させ、収集させる使用データ収集ステップと、
コンピュータに、実行可能モデルと対応づけられている指数算出用データ情報が示す種類に属する使用データに基づいて実行可能モデルの結果精度指数を算出させる算出ステップと、
コンピュータに、実行可能モデルと対応させて、前記使用データ収集ステップで収集された使用データ及び前記算出ステップで算出された結果精度指数を表示させる結果表示ステップと
を実行させることを特徴とする評価モデル選択支援プログラム。
【発明の詳細な説明】
【技術分野】
【０００１】
本発明は、製品の生産に用いる部品の保管に必要な保管面積を算出し評価する部品保管面積評価シミュレーションで使用する評価モデルの選択を支援する評価モデル選択支援システム、評価モデル選択支援方法、及び評価モデル選択支援プログラムに関する。
【背景技術】
【０００２】
生産あるいは物流の状況をコンピュータ上で再現するシミュレーションにおいては、一般的に、まず、シミュレーション対象とする生産システムを決めた後、シミュレーションの実行に必要なシミュレーション用のデータ（以下、単にデータとする）を入手し、シミュレーション用のモデル（以下、単にモデルとする）を作成する。
【０００３】
なお、一度作成されたモデルは、モデルの作成には時間がかかるという理由から、再利用するために保存されている。保存されているモデルは、少ないデータに基づいて簡単に概算の結果を求めることができるものから、多くのデータや統計分布に基づいて現実に近い事象を再現した上で結果を求めることができるものまで、その目的に応じて様々である。
【０００４】
また、シミュレーションに使用されるデータは、シミュレーションの精度を大きく左右する重要な要素であり、シミュレーションに必要となるデータは、使用されるモデルに応じて異なる。このようなデータの収集作業は、現場から多くのデータを集めたり、まだ現場がない場合にはデータを予測して統計分布を定義したりすることにより行われる。
【０００５】
シミュレーションを実施するオペレータは、保存されている複数のモデルの中からシミュレーションの実行に使用するモデルを選択し、さらに、収集した複数のデータの中から選択したモデルに応じて使用するデータを選択した後、シミュレーションの実行を行うが、シミュレーションの実行前に、予めシミュレーション結果の精度を把握しておくことができないため、精度の低いシミュレーションや無駄に時間のかかるシミュレーションを実行してしまうことがあった。
【０００６】
また、従来、生産現場においては、製品の生産前に、その製品の生産に使用する部品を保管するのに必要な倉庫の保管面積を把握する必要がある。そこで、製品を１台生産するのに必要な部品に関する与件データと、部品の保管面積（保管容積）に関する部品情報と、製品の生産計画に関する情報を含むシミュレーション情報といった、各種シミュレーションデータに基づいて部品を保管するのに必要な保管面積を算出する部品保管容積算出システムが開示されている（特許文献１参照）。
【特許文献１】特開２００２−３０２２１６号公報
【発明の開示】
【発明が解決しようとする課題】
【０００７】
ところで、特許文献１に記載の部品保管容積算出システムにおいて、オペレータが収集し、入力部より入力する各種シミュレーションデータは保管面積の算出結果の精度に影響を及ぼすものである。しかしながら、算出結果の精度は、実際に保管面積の算出を行った後でないと分からなかった。つまり、保管面積の算出前に、算出結果の精度を知ることができないため、現実の状況に近似しない精度の低い保管面積の算出を行ってしまうことがあった。
【０００８】
本発明は、このような状況に鑑みてなされたものであって、製品の生産に用いる部品の保管に必要な保管面積を算出し評価する部品保管面積評価シミュレーションで使用する評価モデルの選択に際し、実行可能な評価モデルと、その評価モデルを実行した場合に得られる結果の精度をオペレータに示すことが可能な評価モデル選択支援システム、評価モデル選択支援方法、及び評価モデル選択支援プログラムを提供することを目的とする。
【課題を解決するための手段】
【０００９】
本発明に係る評価モデル選択支援システムは、製品の生産に用いる部品の保管に必要な保管面積を算出し評価する部品保管面積評価シミュレーションで使用する評価モデルの選択を支援する評価モデル選択支援システムであって、評価モデルと対応させて、評価モデルの実行に必要となるデータの種類を示す必要データ情報、及び評価モデルの実行結果の精度を示す結果精度指数の算出用として使用するデータの種類を示す指数算出用データ情報を収集する評価モデル用情報収集手段と、評価モデルと対応させて、前記評価モデル用情報収集手段で収集した必要データ情報及び指数算出用データ情報を記憶する評価モデル用情報記憶手段と、評価モデルの実行に必要となるデータの中で既知のデータを収集する既知データ収集手段と、前記既知データ収集手段で収集したデータを記憶する既知データ記憶手段と、前記評価モデル用情報記憶手段に必要データ情報が記憶されている評価モデルの中から、必要データ情報が示す種類に属するデータが全て前記既知データ記憶手段に記憶されている評価モデルを抽出し、実行可能モデルとする実行可能モデル抽出手段と、
実行可能モデルに対応づけられている必要データ情報が示す種類に属する前記既知データ記憶手段に記憶されている複数のデータの中から、実行可能モデルを実行する際に使用するデータを使用データとして選択し、収集する使用データ収集手段と、実行可能モデルと対応づけられている指数算出用データ情報が示す種類に属する使用データに基づいて実行可能モデルの結果精度指数を算出する算出手段と、実行可能モデルと対応させて、前記使用データ収集手段で収集された使用データ及び前記算出手段で算出された結果精度指数を表示する結果表示手段とを備えることを特徴とする。
【００１０】
この構成により、オペレータは部品保管面積評価シミュレーションで使用する評価モデルの選択に際し、結果表示手段により表示された内容を参照することで、実行可能な評価モデルを知ることができ、また、実行可能な評価モデルについて使用する使用データに応じた結果精度指数を知ることができる。つまり、オペレータは評価モデルの選択に際し、現実の保管状況に近似した精度の高い実行結果を得ることが可能な評価モデルと使用データの組み合わせを知ることができる。
【００１１】
本発明に係る評価モデル選択支援システムでは、前記評価モデル用情報収集手段は、評価モデルと対応させて、評価モデルの実行により算出される内容を示す算出情報を収集し、前記評価モデル用情報記憶手段は、評価モデルと対応させて、前記評価モデル用情報収集手段で収集された算出情報を記憶し、前記結果表示手段は、実行可能モデルと対応させて、前記評価モデル用情報記憶手段に記憶されている算出情報を表示することを特徴とすることが好ましい。
【００１２】
この構成により、オペレータは部品保管面積評価シミュレーションで使用する評価モデルの選択に際し、結果表示手段により表示された内容を参照することで、実行可能な評価モデルの算出情報を知ることができる。
【００１３】
本発明に係る評価モデル選択支援システムでは、前記結果表示手段により対応づけて表示された１つ以上の実行可能モデルと使用データの組み合わせの中から１つの組み合わせを決定する実行モデル決定手段を備えることを特徴とすることが好ましい。
【００１４】
この構成により、オペレータは部品保管面積評価シミュレーションで使用すべき評価モデルとこの評価モデルの実行に用いるべき使用データの決定作業を簡単に行うことができる。
【００１５】
本発明に係る評価モデル選択支援システムでは、前記評価モデル用情報収集手段で収集される指数算出用データ情報が示す種類に属するデータは、部品１台当たりの面積を示す部品面積データであり、前記算出手段は、製品の生産に用いられる全部品の前記面積の合計値に対する、前記使用データ収集手段で使用データとして収集された全ての部品面積データが示す前記面積の合計値の割合を、結果精度指数として算出することを特徴とすることが好ましい。
【００１６】
この構成により、評価モデルの実行結果の精度を適確に示す結果精度指数を算出することができる。
【００１７】
本発明に係る評価モデル選択支援システムでは、前記算出手段は、製品の生産に用いられる全部品の個数に対する、前記使用データ収集手段で使用データとして収集された部品面積データの個数の割合を、実行可能モデルの実行に要する時間の度合を示す実行時間指数として算出し、前記結果表示手段は、実行可能モデルと対応させて、前記算出手段で算出された実行時間指数を表示することを特徴とすることが好ましい。
【００１８】
この構成により、オペレータは部品保管面積評価シミュレーションで使用する評価モデルの選択に際し、結果表示手段により表示された内容を参照することで、実行可能な評価モデルの算出時間の長短を把握することができる。つまり、オペレータは、評価モデルの選択に際し、現実の保管状況に近似した精度の高い実行結果を得ることが可能で且つ実行に要する時間が短い評価モデルと使用データの組み合わせを知ることができる。
【００１９】
本発明に係る評価モデル選択支援方法は、製品の生産に用いる部品の保管に必要な保管面積を算出し評価する部品保管面積評価シミュレーションで使用する評価モデルの選択を支援する評価モデル選択支援方法であって、評価モデルと対応させて、評価モデルの実行に必要となるデータの種類を示す必要データ情報、及び評価モデルの実行結果の精度を示す結果精度指数の算出用として使用するデータの種類を示す指数算出用データ情報を収集する評価モデル用情報収集ステップと、評価モデルと対応させて、前記評価モデル用情報収集ステップで収集した必要データ情報及び指数算出用データ情報を記憶する評価モデル用情報記憶ステップと、評価モデルの実行に必要となるデータの中で既知のデータを収集する既知データ収集ステップと、前記既知データ収集ステップで収集したデータを記憶する既知データ記憶ステップと、前記評価モデル用情報記憶ステップで必要データ情報が記憶された評価モデルの中から、必要データ情報が示す種類に属するデータが全て前記既知データ記憶ステップで記憶された評価モデルを抽出し、実行可能モデルとする実行可能モデル抽出ステップと、実行可能モデルに対応づけられている必要データ情報が示す種類に属する前記既知データ記憶ステップで記憶された複数のデータの中から、実行可能モデルを実行する際に使用するデータを使用データとして選択し、収集する使用データ収集ステップと、実行可能モデルと対応づけられている指数算出用データ情報が示す種類に属する使用データに基づいて実行可能モデルの結果精度指数を算出する算出ステップと、実行可能モデルと対応させて、前記使用データ収集ステップで収集された使用データ及び前記算出ステップで算出された結果精度指数を表示する結果表示ステップとを備えることを特徴とする。
【００２０】
この構成により、オペレータは部品保管面積評価シミュレーションで使用する評価モデルの選択に際し、結果表示ステップにより表示された内容を参照することで、実行可能な評価モデルを知ることができ、また、実行可能な評価モデルについて使用する使用データに応じた結果精度指数を知ることができる。つまり、オペレータは評価モデルの選択に際し、現実の保管状況に近似した精度の高い実行結果を得ることが可能な評価モデルと使用データの組み合わせを知ることができる。
【００２１】
本発明に係る評価モデル選択支援プログラムは、コンピュータに、製品の生産に用いる部品の保管に必要な保管面積を算出し評価する部品保管面積評価シミュレーションで使用する評価モデルの選択を支援させる評価モデル選択支援プログラムであって、コンピュータに、評価モデルと対応させて、評価モデルの実行に必要となるデータの種類を示す必要データ情報、及び評価モデルの実行結果の精度を示す結果精度指数の算出用として使用するデータの種類を示す指数算出用データ情報を収集させる評価モデル用情報収集ステップと、コンピュータに、評価モデルと対応させて、前記評価モデル用情報収集ステップで収集した必要データ情報及び指数算出用データ情報を記憶させる評価モデル用情報記憶ステップと、コンピュータに、評価モデルの実行に必要となるデータの中で既知のデータを収集させる既知データ収集ステップと、コンピュータに、前記既知データ収集ステップで収集したデータを記憶させる既知データ記憶ステップと、コンピュータに、前記評価モデル用情報記憶ステップで必要データ情報が記憶された評価モデルの中から、必要データ情報が示す種類に属するデータが全て前記既知データ記憶ステップで記憶された評価モデルを抽出させ、実行可能モデルとさせる実行可能モデル抽出ステップと、コンピュータに、実行可能モデルに対応づけられている必要データ情報が示す種類に属する前記既知データ記憶ステップで記憶された複数のデータの中から、実行可能モデルを実行する際に使用するデータを使用データとして選択させ、収集させる使用データ収集ステップと、コンピュータに、実行可能モデルと対応づけられている指数算出用データ情報が示す種類に属する使用データに基づいて実行可能モデルの結果精度指数を算出させる算出ステップと、コンピュータに、実行可能モデルと対応させて、前記使用データ収集ステップで収集された使用データ及び前記算出ステップで算出された結果精度指数を表示させる結果表示ステップとを実行させることを特徴とする。
【００２２】
この構成により、オペレータは部品保管面積評価シミュレーションで使用する評価モデルの選択に際し、結果表示ステップにより表示された内容を参照することで、実行可能な評価モデルを知ることができ、また、実行可能な評価モデルについて使用する使用データに応じた結果精度指数を知ることができる。つまり、オペレータは評価モデルの選択に際し、現実の保管状況に近似した精度の高い実行結果を得ることが可能な評価モデルと使用データの組み合わせを知ることができる。
【発明の効果】
【００２３】
本発明に係る評価モデル選択支援システム、評価モデル選択支援方法、又は評価モデル選択支援プログラムによれば、実行することが可能な評価モデルが実行可能モデルとして表示されるとともに、実行可能モデルと対応させて、実行可能モデルの実行に使用するデータと、それらデータを使用した場合における評価モデルの実行結果の精度を示す結果精度指数が表示される。つまり、オペレータは、本発明に係る評価モデル選択支援システム、評価モデル選択支援方法、又は評価モデル選択支援プログラムにより表示された内容を参照することで、現実の保管状況に近似した精度の高い実行結果を得ることが可能な評価モデルと使用データの組み合わせを知ることができる。
【発明を実施するための最良の形態】
【００２４】
以下、本発明の実施の形態について、図面を参照して説明する。
【００２５】
図１は、発明の実施の形態に係る評価モデル選択支援システムの機能構成の概略を示す機能ブロック図である。なお、図中、破線で示す部分は、本実施の形態に係る評価モデル選択支援システムと連携された他のシステムを示している。
【００２６】
本実施の形態に係る評価モデル選択支援システムは、入力部１と、表示部２と、処理モード取得部３と、評価モデル用情報収集部４と、評価モデル用情報データベース５と、既知データ収集部６と、既知データデータベース７と、情報定義部８と、情報定義データベース９と、実行可能モデル抽出部１０と、使用データ収集部１１と、算出部１２と、算出結果データベース１３と、実行モデル決定部１４と、これら各部１〜１４を制御する制御部１５とを備える構成とされている。
【００２７】
＜入力部＞
入力部１は、マウスやキーボード、タッチパネル等からなり、表示部２に表示される各種画面に設けられた各種入力欄及び各種ボタンへの操作を行うことが可能な構成とされている。
【００２８】
例えば、表示部２に表示される画面上に設けられたボタンは、入力部１としてマウスが備えられている場合には、マウスによるクリックにより操作される。また、表示部２に重ねて配置された透明なタッチパネルで入力部１が構成されている場合には、表示部２の画面上のボタンに指先等を接触させることで、ボタンは操作される。このような、入力部１によるボタン操作を、以下、「ボタンを押す」として表現する。
【００２９】
＜表示部＞
表示部２は、液晶モニタやＣＲＴ（Ｃａｔｈｏｄｅ−Ｒａｙ  Ｔｕｂｅ）モニタといった一般的な表示モニタで構成されており、主に、実行可能モデルと対応させて、使用データ収集部１１で収集された使用データ、算出部１２で算出された結果精度指数、及び評価モデル用情報データベース５に記憶されている算出情報を表示する結果表示手段として機能する。
【００３０】
なお、本実施の形態では、表示部２に、実行可能モデルと対応させて、使用データ収集部１１で収集された使用データ、算出部１２で算出された結果精度指数、及び評価モデル用情報データベース５に記憶されている算出情報を示す結果精度指数確認画面（図１６参照）の他、後述する各種画面（図２〜４、６、８、１０、１１〜１３参照）が表示される。
【００３１】
＜処理モード取得部＞
処理モード取得部３は、評価モデル用情報の収集処理、既知のデータの収集処理、及び実行モデルの決定処理の中からオペレータが選択した処理を特定するための処理モード信号を取得する構成とされている。具体的には、次に示す処理モード選択画面を通してオペレータが行った操作に応じて発信される処理モード信号を取得する構成とされている。
【００３２】
図２は、本発明の実施の形態に係る評価モデル選択支援システムにおいて、表示部へ表示される処理モード選択画面の一例を示す図である。
【００３３】
処理モード選択画面１００には、評価モデル用情報の収集ボタン１０１と、既知のデータの収集ボタン１０２と、実行モデルの決定ボタン１０３とが備えられている。
【００３４】
評価モデル用情報の収集ボタン１０１が押されると、処理モード取得部３は評価モデル用情報の収集処理が選択されたことを示す処理モード信号を取得し、この取得した処理モード信号を制御部１５へ送信する。この処理モード信号を受信した制御部１５は、表示部２に後述する評価モデル用情報収集画面（図３参照）を表示させて、評価モデル用情報収集部４に評価モデル用情報の収集処理を開始させる。
【００３５】
また、既知のデータの収集ボタン１０２が押されると、処理モード取得部３は既知のデータの収集処理が選択されたことを示す処理モード信号を取得し、この取得した処理モード信号を制御部１５へ送信する。この処理モード信号を受信した制御部１５は、表示部２へ既知データ収集画面（図６参照）を表示させ、既知データ収集部６に既知のデータの収集処理を開始させる。
【００３６】
また、実行モデルの決定ボタン１０３が押されると、処理モード取得部３は実行モデルの決定処理が選択されたことを示す処理モード信号を取得し、この取得した処理モード信号を制御部１５へ送信する。この処理モード信号を受信した制御部１５は、実行可能モデル抽出部１０に実行可能モデルの抽出処理を開始させる。
【００３７】
また、処理モード選択画面１００には終了ボタン１０４が設けられており、終了ボタン１０４が押されることにより、部品保管スペース評価モデル選択支援システムによる処理は終了される。
【００３８】
＜評価モデル用情報収集部＞
評価モデル用情報収集部４は、評価モデルと対応させて、評価モデルの実行に必要となるデータの種類を示す必要データ情報、評価モデルの実行結果の精度を示す結果精度指数の算出用として使用するデータの種類を示す指数算出用データ情報、及び評価モデルの実行により算出される内容を示す算出情報を収集する評価モデル用情報収集手段として構成されている。
【００３９】
なお、本実施の形態では、表示部２に表示された後述する評価モデル用情報収集画面（図３参照）を通してオペレータが入力部１より入力した評価モデルコード、必要データ情報、算出情報、指数算出用データ情報を評価モデル用情報収集部４が読み取って収集する構成とされている。
【００４０】
なお、本実施の形態において、データは表形式とされており、データの種類は表の項目の構成により、具体的には、後述する情報定義部８で表の項目の構成に対応させて定義されたデータ情報コードにより特定される。
【００４１】
よって、本実施の形態において、必要データ情報は、評価モデルの実行に必要となるデータの種類を特定するデータ情報コードを示す構成とされており、また、指数算出用データ情報は、結果精度指数の算出用として使用するデータの種類を特定するデータ情報コードを示す構成とされている。
【００４２】
図３は、本発明の実施の形態に係る評価モデル選択支援システムにおいて、評価モデル用情報収集部により実行される評価モデル用情報の収集に際し、表示部へ表示される評価モデル用情報収集画面の一例を示す図である。
【００４３】
評価モデル用情報収集画面２００は、処理モード選択画面１００で評価モデル用情報の収集ボタン１０１が押されることにより、表示部２に表示される。
【００４４】
評価モデル用情報収集画面２００には、評価モデルコード入力欄２０１と、必要データ情報入力欄２０２と、算出情報入力欄２０３と、指数算出用データ情報入力欄２０４とが設けられている。
【００４５】
評価モデルコード入力欄２０１には、評価モデルを特定する評価モデルコード（モデル１）が入力され、必要データ情報入力欄２０２には、必要データ情報として、評価モデルの実行に必要となるデータの種類、具体的には、評価モデルの実行に必要となるデータのデータ情報コード（部品箱面積＿入数；保管日数；員数；・・・）が入力される。
【００４６】
また、算出情報入力欄２０３には算出情報（必要全面積（平方ｍ／日））が入力され、指数算出用データ情報入力欄２０４には、指数算出用データ情報として、結果精度指数の算出用として使用するデータの種類、具体的には、結果精度指数の算出用として使用するデータのデータ情報コード（部品面積（１台））が入力される。
【００４７】
また、評価モデル用情報収集画面２００には確定ボタン２０５が設けられている。各入力欄２０１〜２０４への入力がなされた後、確定ボタン２０５が押されると、評価モデル用情報収集部４による処理が開始される。つまり、評価モデルコード入力欄２０１に入力された評価モデルコード（モデル１）に対応させて、必要データ情報入力欄２０２に入力された必要データ情報（部品箱面積＿入数；保管日数；員数；・・・）、算出情報入力欄２０３に入力された算出情報（必要全面積（平方ｍ／日））、及び指数算出用データ情報入力欄２０４に入力された指数算出用データ情報（部品面積（１台））が収集される。
【００４８】
また、評価モデル用情報収集画面２００には、中止ボタン２０６が設けられている。中止ボタン２０６が押されると、評価モデル用情報の収集処理が中止され、表示部２に、再び、処理モード選択画面１００が表示される。
【００４９】
また、評価モデル用情報収集画面２００には、上記した各入力欄２０１〜２０４の横に、それぞれ、各入力欄２０１〜２０４への入力を容易にする機能として一覧ボタン２０７〜２１０が設けられている。例えば、評価モデルコード入力欄２０１の横の一覧ボタン２０７が押された場合には、評価モデルコードの一覧画面（不図示）が表示され、算出情報入力欄２０３の横の一覧ボタン２０９が押された場合には、評価モデルの実行により算出される内容の一覧画面（不図示）が表示される。
【００５０】
また、必要データ情報入力欄２０２の横の一覧ボタン２０８及び指数算出用データ情報入力欄２０４の横の一覧ボタン２１０が押された場合には、評価モデル用情報収集画面２００と合わせて次に示すデータ情報コード一覧画面が表示部２へ表示される。
【００５１】
図４は、本発明の実施の形態に係る評価モデル選択支援システムにおいて、表示部へ表示されるデータ情報コード一覧画面の一例を示す図である。
【００５２】
データ情報コード一覧画面３００には、データ情報コード表示欄３０１が設けられている。データ情報コード表示欄３０１には、データ情報コード（部品面積（１台）、部品箱面積＿入数・・・）と対応させて、データ情報コードにより特定される種類のデータの項目の構成（機種タイプ；部品コード；部品名；部品面積（１台）（平方ｃｍ）、部品コード；部品名；部品箱面積；入数、・・・）が表示されている。なお、データ情報コード表示欄３０１には、後述する情報定義データベース９に記憶されている内容が表示される。
【００５３】
また、データ情報コード表示欄３０１には、表示されている各データ情報コードの横に、オペレータが任意のデータ情報コードを選択するためのチェックボックス３０２がそれぞれ設けられている。
【００５４】
また、データ情報コード一覧画面３００には、コード定義ボタン３０３が設けられている。コード定義ボタン３０３が押されると、後述するデータ情報コード定義画面（図８参照）が表示部２に表示される。
【００５５】
また、データ情報コード一覧画面３００には、確定ボタン３０４が設けられている。評価モデル用情報収集画面２００の必要データ情報入力欄２０２の横にある一覧ボタン２０８によってデータ情報コード一覧画面３００が表示されている時に、データ情報コード一覧画面３００の確定ボタン３０４が押されると、評価モデル用情報収集画面２００の必要データ情報コード欄２０２は、データ情報コード一覧画面３００でチェックボックス３０２にチェックが入れられたデータ情報コードが入力された状態となる。
【００５６】
また、評価モデル用情報収集画面２００の指数算出用データ情報入力欄２０４の横にある一覧ボタン２１０によってデータ情報コード一覧画面３００が表示されている時に、データ情報コード一覧画面３００の確定ボタン３０４が押されると、評価モデル用情報収集画面２００の指数算出用データ情報入力欄２０４は、データ情報コード一覧画面３００でチェックボックス３０２にチェックが入れられたデータ情報コードが入力された状態となる。
【００５７】
さらに、データ情報コード一覧画面３００には、中止ボタン３０５が設けられている。中止ボタン３０５が押されると、データ情報コード一覧画面３００の表示が中止される。
【００５８】
＜評価モデル用情報データベース＞
評価モデル用情報データベース５は、評価モデルと対応させて、評価モデル用情報収集部４で収集された必要データ情報、指数算出用データ情報、及び算出情報を記憶する評価モデル用情報記憶手段として構成されている。
【００５９】
図５は、本発明の実施の形態に係る評価モデル選択支援システムにおいて、評価モデル用情報データベースに格納されている内容の一例を示す図表である。
【００６０】
評価モデルを特定するための評価モデルコード（モデル１、モデル２、モデル３・・・）に対応させて、必要データ情報（部品面積（１台）、部品箱面積＿入数・・・）、算出情報（必要全面積（平方ｍ／日）、倉庫別必要面積（平方ｍ／日）・・・）、指数算出用データ情報（部品面積（１台）・・・）が記憶されていることが示されている。
【００６１】
例えば、モデル１の評価モデルコードに対応させて、データ情報コードが、「部品面積（１台）」、「部品箱面積＿入数」、「保管日数」、「員数」、「生産台数（月）」、及び「倉庫全面積（平方ｍ）」の各データが必要であることを示す必要データ情報、「必要全面積（平方ｍ／日）」が算出されることを示す算出情報、及びデータ情報コードが「部品面積（１台）」のデータが結果精度指数の算出用として使用されることを示す指数算出用データ情報が記憶されていることが示されている。
【００６２】
＜既知データ収集部＞
既知データ収集部６は、評価モデルの実行に必要となるデータの中で既知のデータを収集する既知データ収集手段として構成されている。
【００６３】
なお、本実施の形態では、評価モデル選択支援システムと連携されている他のシステム（図１中の破線で示すシステム）にある、既知のデータが格納されたファイルを収集することにより、評価モデルの実行に必要となるデータの中で既知のデータを収集する構成とされており、収集されるファイルは、次に示す既知データ収集画面を通してオペレータが入力したファイル名により特定される。
【００６４】
図６は、本発明の実施の形態に係る評価モデル選択支援システムにおいて、既知データ収集部により実行されるデータの収集に際し、表示部へ表示される既知データ収集画面の一例を示す図である。
【００６５】
既知データ収集画面４００は、図２で示した処理モード選択画面１００で、既知のデータの収集ボタン１０２が押されることにより、表示される。
【００６６】
既知データ収集画面４００には、ファイル名入力欄４０１が設けられている。ファイル名入力欄４０１には、既知のデータが格納されたファイルのファイル名（Ｄ：￥ｉｎｆ￥部品箱面積＿入数情報１．ｉｎｆ）が入力される。なお、ファイル名の「Ｄ：」の表記は、評価モデル選択支援システムと連携されている他のシステム（図１中の破線で示すシステム）のＤドライブ１７に存在するファイルであることを示す表記である。
【００６７】
また、既知データ収集画面４００には、データ情報コード入力欄４０３が設けられている。データ情報コード入力欄４０３には、ファイル名入力欄４０１に入力されたファイル名のファイルに格納されているデータのデータ情報コードが入力される。
【００６８】
また、データ情報コード入力欄４０３の横には、一覧ボタン４０４が設けられている。一覧ボタン４０４が押されると、既知データ収集画面４００と合わせて前述したデータ情報コード一覧画面３００が表示部２に表示される。このデータ情報コード一覧画面３００の確定ボタン３０４が押されると、既知データ収集画面４００のデータ情報コード入力欄４０３は、データ情報コード一覧画面３００でチェックボックス３０２にチェックが入れられたデータ情報コードが入力された状態となる。
【００６９】
なお、既知データ収集画面４００より呼び出されたデータ情報コード一覧画面３００で中止ボタン３０５が押された場合、データ情報コード一覧画面３００の表示部２への表示は中止される。
【００７０】
また、既知データ収集画面４００には、確定ボタン４０５が設けられている。各入力欄４０１，４０３に入力がなされた後、確定ボタン４０５が押されると、既知データ収集部６が、ファイル名入力欄４０１に入力されたファイル名（Ｄ：￥ｉｎｆ￥部品箱面積＿入数情報１．ｉｎｆ）のファイルを収集し、さらに、ファイル名入力欄４０１に入力されたファイル名（Ｄ：￥ｉｎｆ￥部品箱面積＿入数情報１．ｉｎｆ）に対応させて、収集されたデータの種類、つまり、データ情報コード入力欄４０３に入力されたデータ情報コード（部品面積＿入数）を収集する。
【００７１】
また、既知データ収集画面４００には、中止ボタン４０６が設けられている。中止ボタン４０６が押されると、既知データ収集画面４００の表示が中止され、表示部２に処理モード選択画面１００が表示される。
【００７２】
＜既知データデータベース＞
既知データデータベース７は、既知データ収集部６で収集されたデータを記憶する既知データ記憶手段として構成されている。具体的には、本実施の形態における既知データデータベース７は、既知データ収集部６で収集したファイル、つまり、評価モデルの実行に必要となるデータの中で既知のデータが格納されたファイルを格納する構成とされている。
【００７３】
また、本実施の形態における既知データデータベース７は、さらに、既知データデータベース７に格納しているファイルのファイル名に対応させて、既知データ収集部６で収集されたデータ情報コードを格納する次に示すファイルデータ情報テーブルを記憶する構成とされている。
【００７４】
図７は、本発明の実施の形態に係る評価モデル選択支援システムにおいて、既知データデータベースに記憶されているファイルデータ情報テーブルの内容の一例を示す図表である。
【００７５】
ファイルデータ情報テーブル４５０には、ファイル名（部品面積（１台）情報１．ｉｎｆ、部品箱面積＿入数情報１．ｉｎｆ、・・・）に対応させて、ファイルに格納されているデータの種類（データ情報コード：部品面積（１台）、部品箱面積＿入数・・・）が記憶されていることが示されている。
【００７６】
例えば、ファイル名が「部品面積（１台）情報１．ｉｎｆ」のファイルには、「部品面積（１台）」のデータ情報コードで特定される種類のデータが格納されていることが示されている。
【００７７】
＜情報定義部＞
情報定義部８は、評価モデルの実行に必要となるデータの種類毎に、データのデータ情報コードと対応させて、データの項目の構成を定義する構成とされている。具体的には、次に示すデータ情報コード定義画面を通して入力されたデータ情報コードと、入力された構成との関連付けを行う構成とされている。
【００７８】
図８は、本発明の実施の形態に係る評価モデル選択支援システムにおいて、情報定義部よる情報定義に際し、表示部へ表示されるデータ情報コード定義画面の一例を示す図である。
【００７９】
データ情報コード定義画面５００は、図４で示したデータ情報コード一覧画面３００で、コード定義ボタン３０３が押されることにより、表示される。
【００８０】
データ情報コード定義画面５００には、データ情報コード入力欄５０１と構成入力欄５０２が設けられている。
【００８１】
データ情報コード入力欄５０１には、データの種類を特定するための任意のデータ情報コードが入力される。
【００８２】
構成入力欄５０２には、データ情報コード入力欄５０１に入力されたデータ情報コードにより特定される種類のデータの項目の構成を入力する。例えば、「部品種」のデータ情報コードにより種類が特定されるデータが、部品コードの項目と部品種の項目で構成される表形式のデータである場合には、データ情報コード５０１には「部品種」と入力され、構成入力欄５０２には「部品コード；部品種」と入力される。
【００８３】
また、データ情報コード定義画面５００には、確定ボタン５０３が設けられている。この確定ボタン５０３が押されると、情報定義部８は、データ情報コード入力欄５０１に入力されたデータ情報コード（部品種）と、構成入力欄５０２に入力された構成（部品コード；部品種）との関連付けを行う。
【００８４】
また、データ情報コード定義画面５００には、中止ボタン５０４が設けられている。この中止ボタン５０４が押されると、データ情報コード定義画面５００の表示が中止されて、データ情報コード一覧画面３００が表示される。
【００８５】
＜情報定義データベース＞
情報定義データベース９は、情報定義部８で関連付けされたデータ情報コードと構成を記憶する構成とされている。
【００８６】
図９は、本発明の実施の形態に係る評価モデル選択支援システムにおいて、情報定義データベースに格納されている内容の一例を示す図表である。
【００８７】
データ情報コード（部品面積（１台）、部品箱面積＿入数、保管日数、・・・）と関連づけて、構成（機種タイプ；部品コード；部品名；部品面積（１台）（平方ｍ）、部品コード；部品名；部品箱面積；入数、・・・）が記憶されていることが示されている。
【００８８】
例えば、「部品面積（１台）」のデータ情報コードにより種類が特定されるデータは、機種タイプの項目と、部品コードの項目と、部品名の項目と、部品面積（１台）（平方ｍ）の項目で構成される表形式のデータであることが示されている。
【００８９】
＜実行可能モデル抽出部＞
実行可能モデル抽出部１０は、評価モデル用情報データベース５に必要データ情報が記憶されている評価モデルの中から、必要データ情報が示す種類に属するデータが全て既知データデータベース７に記憶されている評価モデルを抽出し、実行可能モデルとする実行可能モデル抽出手段として構成されている。
【００９０】
なお、本実施の形態では、実行可能モデル抽出部１０は、評価モデル用情報データベース５に必要データ情報が記憶されている評価モデルの中から、必要データ情報が示すデータ情報コードが全て、既知データデータベース７に記憶されているファイルデータ情報テーブル４５０に存在する評価モデルを、実行可能モデルとして抽出する構成とされている。
【００９１】
また、本実施の形態において、実行可能モデル抽出部１０による実行可能モデルの抽出処理は、図２に示される処理モード選択画面１００で実行モデルの決定ボタン１０３が押されることにより開始される。
【００９２】
例えば、評価モデル用情報データベース５に必要データ情報が記憶されている評価モデル（図５のモデル１、モデル２、モデル３）の中から、図７のファイルデータ情報テーブル４５０に基づいて、評価モデルを抽出した場合について、以下に説明する。
【００９３】
まず、評価モデルコードが「モデル１」の評価モデルと対応させてある必要データ情報が示すデータ情報コードは、「部品面積（１台）」と、「部品箱面積＿入数」と、「保管日数」と、「員数」と、「生産台数（月）」と、「倉庫全面積（平方ｍ）」とである。これらのデータ情報コードは、全て、ファイルデータ情報テーブル４５０に存在している。よって、評価モデルコードが「モデル１」の評価モデルは、実行可能モデルとして抽出される。
【００９４】
また、評価モデルコードが「モデル２」の評価モデルと対応させてある必要データ情報が示すデータ情報コードは、「部品面積（１台）」と、「部品箱面積＿入数」と、「保管日数」と、「員数」と、「生産台数（月）」と、「倉庫全面積（平方ｍ）」と、「部品種」と、「保管場所」と、「倉庫別面積（平方ｍ）」とである。これらのデータ情報コードは、全て、ファイルデータ情報テーブル４５０に存在しているので、評価モデルコードが「モデル２」の評価モデルは、実行可能モデルとして抽出される。
【００９５】
また、評価モデルコードが「モデル３」の評価モデルと対応させてある必要データ情報が示すデータ情報コードは、「部品面積（１台）」と、「部品箱面積＿入数」と、「保管日数」と、「員数」と、「生産台数（月）」と、「倉庫全面積（平方ｍ）」と、「部品種」と、「保管場所」と、「倉庫別面積（平方ｍ）」と、「納入頻度＿納入量」とである。これらのデータ情報コードのうち、「納入頻度＿納入量」は、ファイルデータ情報テーブル４５０に存在しない。よって、評価モデルコードが「モデル３」の評価モデルは、実行可能モデルとして抽出されない。
【００９６】
つまり、図５の評価モデル用情報データベース５に必要データ情報が記憶されている評価モデルの中から、図７のファイルデータ情報テーブル４５０に基づいて、評価モデルを抽出した場合には、評価モデルコードが「モデル１」と「モデル２」の評価モデルが抽出されることとなる。
【００９７】
図１０は、本発明の実施の形態に係る評価モデル選択支援システムにおいて、実行可能モデル抽出部による実行可能モデルの抽出後、表示部へ表示される実行可能モデル抽出結果確認画面の一例を示す図である。
【００９８】
実行可能モデル抽出結果確認画面６００には、実行可能モデル情報表示欄６０１が設けられている。実行可能モデル情報表示欄６０１には、実行可能モデル抽出部１０により抽出された評価モデルの評価モデルコード（モデル１、モデル２）が表示される。さらに、実行可能モデル情報表示欄６０１には、評価モデルの評価モデルコード（モデル１、モデル）と対応させて、必要データ情報（部品面積（１台）；部品箱面積＿入数；・・・）と算出情報（必要全面積（平方ｍ／日）、倉庫別必要面積（平方ｍ／日））が表示される。
【００９９】
また、実行可能モデル抽出結果確認画面６００には、使用データ収集画面表示ボタン６０２と中止ボタン６０３が設けられている。使用データ収集画面表示ボタン６０２が押されると、後述する使用データ収集画面（図１１参照）が表示され、中止ボタン６０３が押されると、実行可能モデル抽出結果確認画面６００の表示が中止され、図２で示した処理モード選択画面１００が表示部２へ表示される。
【０１００】
＜使用データ収集部＞
使用データ収集部１１は、実行可能モデルに対応づけられている必要データ情報が示す種類に属する既知データデータベース７に記憶されている複数のデータの中から、実行可能モデルを実行する際に使用するデータを使用データとして選択し、収集する使用データ収集手段として構成されている。
【０１０１】
図１１は、本発明の実施の形態に係る評価モデル選択支援システムにおいて、使用データ収集部により実行されるデータの収集に際し、表示部へ表示される使用データ収集画面の一例を示す図である。
【０１０２】
使用データ収集画面７００は、実行可能モデル抽出結果確認画面６００で使用データ収集画面表示ボタン６０２が押されることにより、表示される。
【０１０３】
使用データ収集画面７００には実行可能モデル情報表示欄７０１が設けられている。実行可能モデル情報表示欄７０１には、実行可能モデル抽出部１０で抽出された実行可能モデルの評価モデルコード（モデル１、モデル２）と対応させて、必要データ情報（部品面積（１台）；部品箱面積＿入数、・・・）と算出情報（必要全面積（平方ｍ／日）、倉庫別必要面積（平方ｍ／日））が表示されている。
【０１０４】
また、使用データ収集画面７００にはモデルコード選択欄７０２と、詳細入力画面表示ボタン７０３とが設けられている。実行可能モデル情報表示欄７０１に表示されている実行可能モデルのいずれかの評価モデルコード（モデル１）が、モデルコード選択欄７０２で選択され、詳細入力画面表示ボタン７０３が押されることにより後述する使用データ収集（詳細入力）画面（図１２参照）が表示される。
【０１０５】
また、使用データ収集画面７００には中止ボタン７０４が設けられている。中止ボタン７０４が押されると、使用データ収集画面７００の表示が中止され、実行可能モデル抽出結果確認画面６００が表示部２へ表示される。
【０１０６】
図１２は、本発明の実施の形態に係る評価モデル選択支援システムにおいて、使用データ収集部により実行されるデータの収集に際し、表示部へ表示される使用データ収集（詳細入力）画面の一例を示す図である。
【０１０７】
使用データ収集（詳細入力）画面８００は、使用データ収集画面７００で、詳細入力画面表示ボタン７０３が押されることにより表示される。
【０１０８】
使用データ収集（詳細入力）画面８００には、モデルコード表示欄８０１と、算出情報表示欄８０２とが設けられている。モデルコード表示欄８０１には、使用データ収集画面７００のモデルコード選択欄７０２により選択された評価モデルコード（モデル１）が表示される。また、算出情報表示欄８０２には、使用データ収集画面７００のモデルコード選択欄７０２により選択された評価モデルコードの実行可能モデル（評価モデル）の算出情報（必要全面積（平方ｍ／日）が表示される。
【０１０９】
また、使用データ収集（詳細入力）画面８００には、使用データ入力欄８０３が設けられている。また、使用データ入力欄８０３には、モデルコード表示欄８０１に評価モデルコード（モデル１）が表示されている実行可能モデルの必要データ情報が示す各データ情報コード（部品面積（１台）、部品箱面積＿入数・・）と対応させて、ファイル名入力欄８０４が設けられている。
【０１１０】
ファイル名入力欄８０４には、既知データデータベース７に格納されているファイルの中から、モデルコード表示欄８０１に評価モデルコードが表示されている実行可能モデルを実行する際に使用するデータが格納されているファイルが選択されてファイル名（部品面積（１台）情報１．ｉｎｆ、部品箱面積＿入数情報１．ｉｎｆ、・・・）が入力される。
【０１１１】
また、使用データ入力欄８０３には、各ファイル名入力欄８０４の横に一覧ボタン８０５が設けられている。この一覧ボタン８０５が押されると、既知データデータベース７に格納されているファイルのうちデータ情報コードの一致するもののファイル名の一覧、具体的には、図７に示したファイルデータ情報テーブル４５０のうち、必要データ情報に示す各データ情報コードと一致するものの内容が表示される。
【０１１２】
また、使用データ入力欄８０３に設けられた複数の一覧ボタン８０５のうち、指数算出用データ情報が示すデータ情報コード（部品面積（1台））に対応させて設けられた一覧ボタン８０５の横には、編集ボタン８０６が設けられている。この編集ボタン８０６が押されることにより、後述する使用データ収集（指数算出用）画面（図１３参照）が表示され、指数算出用データ情報が示すデータ情報コード（部品面積（１台））に対応させて設けられたファイル名入力欄８０４に入力されたファイル名のファイルに格納されている複数のデータの中からさらに、実行可能モデルの実行に使用するデータを使用データとして選択することが可能となる。
【０１１３】
また、使用データ収集（詳細入力）画面８００には、確定ボタン８０７が設けられている。本実施の形態では、この確定ボタン８０７が押されることにより、使用データ収集部１１が、モデルコード表示欄８０１に評価モデルコード（モデル１）が表示されている実行可能モデルと対応させて、ファイル名入力欄８０４に入力されたファイル名（部品面積（１台）情報１．ｉｎｆ、部品箱面積＿入数情報１．ｉｎｆ、・・・）のファイルに格納されているデータを使用データとして収集する。
【０１１４】
この際、使用データ収集部１１は、指数算出用データ情報が示すデータ情報コード（部品面積（１台））に対応させて設けられたファイル名入力欄８０４にファイル名部品面積（１台）情報１．ｉｎｆ）が入力されたファイルについては、後述する使用データ収集（指数算出用）画面（図１３参照）で選択されたデータのみを使用データとして収集する。
【０１１５】
また、使用データ収集（詳細入力）画面８００には中止ボタン８０８が設けられている。中止ボタン８０８が押されると、使用データ収集（詳細入力）画面８００の表示が中止され、表示部２に使用データ収集画面７００が表示される。
【０１１６】
図１３は、本発明の実施の形態に係る評価モデル選択支援システムにおいて、使用データ収集部により実行されるデータの収集に際し、表示部へ表示される使用データ収集（指数算出用）画面の一例を示す図である。
【０１１７】
また、図１４は、図１３の使用データ収集（指数算出用）画面の格納内容表示欄に表示される内容の一例を示す図である。
【０１１８】
使用データ収集（指数算出用）画面９００は、使用データ収集（詳細入力）画面８００で、編集ボタン８０６が押されることにより表示される。
【０１１９】
使用データ収集（指数算出用）画面９００には、必要データ情報（指数算出用）表示欄９０１とファイル名表示欄９０２が設けられている。
【０１２０】
必要データ情報（指数算出用）表示欄９０１には、使用データ収集（詳細入力）画面８００で編集ボタン８０６に対応させて表示されているデータ情報コード（部品面積（１台））、即ち、必要データ情報が示すデータ情報コードのうち、指数算出用データ情報が示すデータ情報コードと一致するデータ情報コード（部品面積（１台））が表示される。
【０１２１】
また、ファイル名表示欄９０２には、使用データ収集（詳細入力）画面８００で、編集ボタン８０６に対応させて設けられたファイル名入力欄８０４に入力されたファイル名（部品面積（１台）情報１．ｉｎｆ）が表示される。
【０１２２】
また、使用データ収集（指数算出用）画面９００には、格納内容表示欄９０３が設けられている。格納内容表示欄９０３には、ファイル名表示欄９０２に表示されているファイル名（部品面積（１台）情報１.ｉｎｆ）のファイルに格納されているデータを表示する。例えば、部品面積（１台）情報１.ｉｎｆのファイルには、部品１台当たりの部品面積を示す複数の部品面積データが格納されていることが示されている。具体的には、機種タイプが「ＬＣ４０」の製品の生産に使用する各部品（部品コード：ＫＩＢＡＮ００１、ＫＩＢＡＮ００２・・・、部品名：基板００１、基板００２・・・）の１台当たりの部品面積が（５０、５０・・・）が部品面積データとして格納されていることが示されている。
【０１２３】
また、格納内容表示欄９０３には、各データに対応させてチェックボックス９０４が設けられている。
【０１２４】
また、格納内容表示欄９０３には、スクロールバー９０５が設けられている。スクロールバー９０５が入力部１より操作されて表示内容が上下に動かされることにより、ファイル名表示欄９０２に表示されているファイル名（部品面積（１台）情報１.ｉｎｆ）のファイルに格納されている全てのデータが確認可能とされる。
【０１２５】
また、使用データ収集（指数算出用）画面９００には、確定ボタン９０６が設けられている。チェックボックス９０４にチェックを入れられて使用データが選択された後、確定ボタン９０６が押されると、チェックボックス９０４にチェックが入れられているデータが使用データとして決定される。
【０１２６】
また、使用データ収集（指数算出用）画面９００には中止ボタン９０７が設けられている。中止ボタン９０７が押されると、使用データ収集（指数算出用）画面９００の表示が中止され、表示部２に使用データ収集（詳細入力）画面８００が表示される。
【０１２７】
＜算出部＞
算出部１２は、実行可能モデルと対応づけられている指数算出用データ情報が示す種類に属する使用データに基づいて、実行可能モデルの結果精度指数を算出する算出手段として構成されている。
【０１２８】
なお、本実施の形態では、図５の評価モデル用情報データベースの格納内容が示すように、各評価モデルの指数算出用データ情報が示すデータ情報コードは、「部品面積（１台）」とされている。このデータ情報コードが「部品面積（１台）」のデータは、図９に示されるように、機種タイプの項目と部品コードの項目と部品名の項目と部品面積（１台）の項目で構成された表形式のデータ、即ち、製品の生産に用いられる部品１台当たりの面積を示す部品面積データである。つまり、本実施の形態では、各評価モデルについて、部品面積データが指数算出用データ情報が示す種類に属するデータとして設定されている。
【０１２９】
指数算出用データ情報が示す種類に属するデータが部品面積データとされている場合、結果精度指数は、製品の生産に用いられる全部品の部品１台当たりの面積の合計に対する、使用データ収集部１１で使用データとして収集された全ての部品面積データが示す面積の合計値の割合で示される。
【０１３０】
また、本実施の形態では、算出部１２は、実行可能モデルの実行に要する時間の度合を示す実行時間指数を算出する構成とされている。前述したように、指数算出用データ情報が示す種類に属するデータが部品面積データとされている本実施の形態では、実行時間指数は、製品の生産に用いられる全部品の個数に対する、使用データ収集部１１で使用データとして収集された部品面積データの個数の割合で示される。
【０１３１】
例えば、評価モデルコードが「モデル１」の実行可能モデルと対応づけられている指数算出用データ情報が示す種類に属する使用データとして、図１４に示した格納表示欄９０３でチェックボックス９０４にチェックが入れられている部品面積データが使用データ収集部１１で収集された場合、製品の生産に用いられる全部品の部品１台当たりの面積の合計値が、５０＋５０＋２０＋２０＋８０＋１０＋１０＋２３０＋２３０＋３００＋４００＝１４００であり、選択された部品面積データの合計値が、５０＋５０＋８０＋２３０＋２３０＋３００＋４００＝１３４０であるので、結果精度指数は１３４０÷１４００＝９６（％）となる。
【０１３２】
また、同様の場合における実行時間指数は、製品の生産に用いられる全部品の個数（図１４で示される部品面積データの全データ数）が１１であり、選択されたデータ数が７であるので、７÷１１＝６４（％）となる。
【０１３３】
＜算出結果データベース＞
算出結果データベース１３は、算出部１２で算出された結果を記憶する構成とされている。
【０１３４】
図１５は、本発明の実施の形態に係る評価モデル選択支援システムにおいて、算出結果データベースに格納されている内容の一例を示す図表である。
【０１３５】
実行可能モデルの評価モデルコード（モデル１、モデル２）に対応させて、使用データ収集部１１で収集された使用データが格納されているファイルのファイル名（部品面積（１台）情報１（指数算出用）.ｉｎｆ、部品箱面積＿入数情報．ｉｎｆ・・・）、算出部１２で算出された結果精度指数（９６％、５３％）及び実行時間指数（６４％、２０％）が示されている。また、評価モデルコードで示される実行可能モデルと使用データの各々の組み合わせには、算出結果データベース１３への格納順に番号（Ｎｏ：１、２）が付されている。
【０１３６】
例えば、１番の番号が付された実行可能モデルと使用データの組み合わせでシミュレーションを実行した場合、即ち、評価モデルコードが「モデル１」の実行可能モデルを、「部品面積（１台）情報１（指数算出用）.ｉｎｆ」、「部品箱面積＿入数情報１．ｉｎｆ」、「保管日数情報．ｉｎｆ」、「員数情報．ｉｎｆ」、「生産台数（月）情報．ｉｎｆ」、及び「倉庫全面積（平方ｍ）情報．ｉｎｆ」の各ファイルに格納されているデータを使用データとして用いて実行した場合、結果精度指数は９６％であり、実行時間指数は６４％であることが示されている。
【０１３７】
なお、図中、「部品面積（１台）情報１（指数算出用）．ｉｎｆ」のファイル名で示されるファイルは、図１４で示した格納表示欄９０３でチェックボックス９０４にチェックが入れられている部品面積データを格納しているファイルを意味する。
【０１３８】
図１６は、本発明の実施の形態に係る評価モデル選択支援システムにおいて、表示部に表示される結果精度指数確認画面の一例を示す図表である。
【０１３９】
結果精度指数確認画面１０００には、結果精度指数情報表示欄１００１が設けられている。結果精度指数情報表示欄１００１には、実行可能モデルの評価モデルコード（モデル１、モデル２）と対応させて、使用データ収集部１１で収集された使用データを格納しているファイルのファイル名（部品面積（１台）情報１（指数算出用）.ｉｎｆ、部品箱面積＿入数情報１．ｉｎｆ、・・・）と、算出部１２で算出された結果精度指数（９６％、５３％）及び実行時間指数（６４％、２０％）と、評価モデル用情報データベース５に記憶されている算出情報（必要全面積（平方ｍ／日）、倉庫別必要面積（平方ｍ／日）とが表示される。
【０１４０】
なお、本実施の形態において、結果精度指数情報表示欄１００１には、算出結果データベース１３に格納されている、即ち、算出部１２で結果精度指数の算出が行われた実行可能モデルと使用データの全ての組み合わせが、結果精度指数、実行時間指数、及び算出情報とともに表示され、それらの各組み合わせには、算出結果データベース１３で付されている番号が（Ｎｏ１、２）が表示される。
【０１４１】
また、結果精度指数情報表示欄１００１の各ファイル名（部品面積（１台）情報１（指数算出用）.ｉｎｆ、部品箱面積＿入数情報１．ｉｎｆ、・・・）の横には、詳細参照ボタン１００２が設けられており、この詳細参照ボタン１００２を押されることにより、ファイルに格納されているデータの内容が表示される。
【０１４２】
また、結果精度指数確認画面１０００には、他条件算出ボタン１００３が設けられている。他条件算出ボタン１００３が押されると、図１１で示した使用データ収集画面７００が表示され、実行可能モデルについて使用データの収集を再度行うことが可能となる。つまり、新たな実行可能モデルと使用データの組み合わせで結果精度指数及び実行時間指数の算出を行うことが可能となる。
【０１４３】
また、結果精度指数確認画面１０００には、Ｎｏ選択欄１００４と実行モデル・使用データ決定ボタン１００５が設けられている。Ｎｏ選択欄１００４で結果精度指数情報表示欄１００１に表示されている番号（Ｎｏ：１、２）のいずれかが選択されて実行モデル・使用データ決定ボタン１００５が押されると、後述する実行モデル決定部１４による実行モデル・使用データの決定処理が開始される。
【０１４４】
また、結果精度指数確認画面１０００には、中止ボタン１００６が設けられている。中止ボタン１００６が押されると、結果精度指数確認画面１０００の表示が中止され、表示部２には、図２で示した処理モード選択画面１００が表示される。
【０１４５】
＜実行モデル決定部＞
実行モデル決定部１４は、結果精度指数確認画面１０００で対応づけて表示された１つ以上の実行可能モデルと使用データの組み合わせの中から、Ｎｏ．選択欄１００４で選択された番号に紐付けられた１つの実行可能モデルと使用データの組み合わせを決定する実行モデル決定手段として構成されている。
【０１４６】
＜制御部＞
制御部１５は、中央処理装置（ＣＰＵ）を有しており、部品保管スペース評価モデル選択支援システムの各処理を単独またはパス１６を介して接続してある各部１〜１４と協働して実行できる構成としてある。
【０１４７】
なお、本実施の形態に係る評価モデル選択支援システムは、評価モデルと使用データの最適な組み合わせを表示された結果精度指数に基づいて決定することができるシステムであるが、本発明に係る評価モデル選択支援システムは、実行モデル決定部１４により決定された実行可能モデルと使用データの組み合わせを用いて、シミュレーションを実行することができる構成とされていてもよい。
【０１４８】
次に、本実施の形態に係る評価モデル選択支援システムにより、製品の生産に用いる部品の保管に必要な保管面積を算出し評価する部品保管面積評価シミュレーションで使用する評価モデルの選択を支援する処理の動作について、以下に説明する。
【０１４９】
なお、本実施の形態に係る評価モデル選択支援システムは、図示しないＣＰＵ等で構成された制御部１５が上記した各部１〜１４を制御することにより、評価モデル用情報収集ステップと、評価モデル用情報記憶ステップと、既知データ収集ステップと、既知データ記憶ステップと、実行可能モデル抽出ステップと、使用データ収集ステップと、算出ステップと、結果表示ステップとを備える評価モデル選択支援方法を実行する構成とされている。
【０１５０】
図１７は、本発明の実施の形態に係る評価モデル選択支援システムにおいて実行される評価モデル選択支援方法の処理の動作を示すフローチャートである。
【０１５１】
ステップＳ１００：
スタート指示を受け付けた制御部１５は、表示部２に対して処理モード選択画面（図２参照）を出力し、処理をステップ１１０へ移行させる。
【０１５２】
ステップＳ１１０：
制御部１５は、処理モード取得部３に処理モード信号を取得させ、処理をステップＳ１２０へ移行させる。
【０１５３】
ステップＳ１２０：
制御部１５は、処理モード信号の内容をもとに、オペレータがいずれの処理を選択したかを判断する。つまり、処理モード取得部３により取得された処理モード信号が、評価モデル用情報の収集処理が選択されたことを示す処理モード信号、既知のデータの収集処理が選択されたことを示す処理モード信号、及び実行モデルの決定処理が選択されたことを示す処理モード信号のうちのいずれであるかを判断する。
【０１５４】
制御部１５は、処理モード取得部３により取得された処理モード信号が、評価モデル用情報の収集処理が選択されたことを示す処理モード信号である場合には、ステップＳ２００へ処理を移行させる。また、制御部１５は、処理モード取得部３より取得された処理モード信号が、既知のデータの収集処理が選択されたことを示す処理モード信号である場合には、ステップＳ３００へ処理を移行せせる。また、制御部１５は、処理モード取得部３より取得された処理モード信号が、実行モデルの決定処理が選択されたことを示す処理モード信号である場合には、ステップＳ４００へ処理を移行させる。
【０１５５】
ステップＳ２００：
制御部１５は、表示部２へ評価モデル用情報収集画面（図３参照）を表示し、評価モデル用情報収集部４による評価モデル用情報の収集処理を実行する。つまり、評価モデル用情報収集部４に、評価モデルと対応させて、必要データ情報及び指数算出用データ情報を収集させる（評価モデル用情報収集ステップ）。また、制御部１５は、評価モデル用情報収集部４に、評価モデルと対応させて、さらに算出情報を収集させる。そして、処理をステップＳ２１０へ移行させる。
【０１５６】
ステップＳ２１０：
制御部１５は、評価モデル用情報データベース５に、評価モデルと対応させて、ステップＳ２００で収集した必要データ情報及び指数算出用データ情報を記憶させる（評価モデル用情報記憶ステップ）。また、本実施の形態で、制御部１５は、評価モデル用情報データベース５に、評価モデルと対応させて、ステップＳ２００で収集した算出情報を記憶させる。これにより、評価モデル用情報の収集処理は終了する。
【０１５７】
ステップＳ３００：
制御部１５は、既知データ収集部６に、評価モデルの実行に必要となるデータのうち既知のデータを収集させる（既知データ収集ステップ）。そして、処理をステップＳ３１０へ移行させる。
【０１５８】
なお、本実施の形態において、本ステップによる処理は、制御部１５が、表示部２に図６に示す既知データ収集画面を出力して、既知データ収集部６に、本実施の形態に係る評価モデル選択支援システムと連携された他のシステムにある既知のデータが格納されたファイルを収集させることによって行われる。例えば、図１において破線で示された他のシステムのＤドライブ１７にあるファイルを、既知データ収集部６に収集させることによって行われる。
【０１５９】
ステップＳ３１０：
制御部１５は、既知データデータベース７に、ステップＳ３００で収集したデータを記憶させる（既知データ記憶ステップ）。これにより、既知のデータの収集処理は終了する。
【０１６０】
なお、本実施の形態において、本ステップによる処理は、ステップＳ３００で収集されたファイルを既知データデータベース７に記憶させることにより行われる。
【０１６１】
ステップＳ４００：
制御部１５は、実行可能モデル抽出部１０に、評価モデル用情報データベース４に必要データ情報が記憶されている評価モデルの中から、必要データ情報が示す種類に属するデータが全て既知データデータベース７に記憶されている評価モデルを抽出させる（実行可能モデル抽出ステップ）。そして、処理をステップＳ４１０へ移行させる。
【０１６２】
ステップＳ４１０：
制御部１５は、表示部２に、ステップＳ４００で抽出された実行可能モデルが表示された実行可能モデル抽出結果確認画面（図１０参照）を出力する。そして、処理をステップＳ４２０へ移行させる。
【０１６３】
ステップＳ４２０：
制御部１５は、使用データ収集部１１に、ステップＳ４００で抽出された実行可能モデルに対応づけられている必要データ情報が示す種類に属する既知データデータベース７に記憶されている複数のデータの中から、実行可能モデルを実行する際に使用するデータを使用データとして選択させ、収集させる（使用データ収集ステップ）。そして、処理をステップＳ４３０へ移行させる。
【０１６４】
なお、本実施の形態において、本ステップによる処理は、制御部１５が、使用データ収集画面（図１１参照）、使用データ収集（詳細入力）画面（図１２参照）、及び使用データ収集（指数算出用）画面（図１３参照）を表示部２に適宜出力して、使用データ収集部１１に使用データを収集させることにより行われる。
【０１６５】
なお、本実施の形態で、使用データ収集部１１による使用データの収集は、既知データデータベース７に記憶されている複数のファイルの中から、実行可能モデルを実行する際に使用するデータが格納されているファイルを選択し、選択されたファイルに格納されているデータを使用データとして収集することにより行われる。
【０１６６】
ステップＳ４３０：
制御部１５は、算出部１２に、実行可能モデルと対応づけられている指数算出用データ情報が示す種類に属する使用データに基づいて、実行可能モデルの結果精度指数を算出させる（算出ステップ）。また、制御部１５は、算出部に実行時間指数を算出させる。そして、処理をステップＳ４４０へ移行させる。
【０１６７】
なお、本実施の形態で、指数算出用データ情報が示す種類に属するデータは、部品１台当たりの面積を示す部品面積データであり、算出部１２による結果精度指数の算出は、製品の生産に用いられる全部品の面積の合計値に対する、ステップＳ４２０で使用データとして収集された全ての部品面積データが示す面積の合計値の割合を算出することにより行われる。
【０１６８】
また、本実施の形態で、算出部１２による実行時間指数の算出は、製品の生産に用いられる全部品の個数に対する、ステップＳ４２０で使用データとして収集されたの部品面積データの個数の割合を算出することにより行われる。
【０１６９】
ステップＳ４４０：
制御部１５は、算出結果データベース１３に、実行可能モデルと対応させて、ステップＳ４２０で収集された使用データが格納されているファイルのファイル名と、ステップＳ４３０で算出された結果精度指数及び実行時間指数とを記憶させる。そして、処理をステップＳ４５０へ移行させる。
【０１７０】
ステップＳ４５０：
制御部１５は、表示部２に、実行可能モデルと対応させて、使用データ収集部１１で収集された使用データ及び算出部１２で算出された結果精度指数を表示させる（結果表示ステップ）。また、本実施の形態では、実行可能モデルと対応させて、算出部１２で算出された実行時間指数、及び評価モデル用情報データベース４に記憶されている算出情報を表示部２に表示させる。そして、処理をステップＳ４６０に移行させる。
【０１７１】
なお、本実施の形態において、本ステップによる処理は、制御部１５が、表示部２に図１６に示した結果精度指数確認画面１０００を出力することにより行われる。また、結果示度指数確認画面１０００には、算出結果データベース１３に格納されている全ての実行可能モデルと使用データの組み合わせが、結果精度指数及び実行時間指数と対応づけられて表示される。
【０１７２】
ステップＳ４６０：
制御部１５は、新たな実行可能モデルと使用データの組み合わせで結果精度指数の算出を行うか否かを判定する。
【０１７３】
なお、本実施の形態において、本ステップによる処理は、制御部１５が、オペレータにより押されたボタンが、図１６で示した結果精度指数確認画面１０００に設けられた他条件算出ボタン１００３、実行モデル・使用データ決定ボタン１００５、及び中止ボタン１００６のいずれであるかを判定することにより行われる。
【０１７４】
オペレータが入力部１を操作して押したボタンが他条件算出ボタン１００３である場合には、「ＹＥＳ」と判定してステップＳ４２０へ移行させる。また、オペレータが押したボタンが実行モデル・使用データ決定ボタン１００５である場合には、「Ｎｏ」と判定してステップＳ４７０へ移行させる。また、オペレータが押したボタンが中止ボタン１００６である場合には、ステップＳ４００〜ステップＳ４７０による実行モデルの決定処理を終了させる（不図示）。
【０１７５】
ステップＳ４７０：
制御部１５は、ステップＳ４５０により対応づけて表示された１つ以上の実行可能モデルと使用データの組み合わせの中から１つの組み合わせを決定する（実行モデル決定ステップ）。これにより、ステップＳ４００〜ステップＳ４７０からなる実行モデルの決定の処理は終了する。
【０１７６】
なお、本実施の形態において、本ステップによる処理は、制御部１５が、実行モデル決定部１４に、結果精度指数確認画面１０００のＮｏ選択欄１００４で選択された番号が付された実行可能モデルと使用データの組み合わせを、シミュレーションの実行に使用する実行モデル及び使用データとして決定させることにより行われる。
【０１７７】
このような本発明に係る評価モデル選択支援方法は、前述したように、図示しないＣＰＵ等で構成される制御部１５（コンピュータ）に本実施の形態に係る各ステップを実行させる評価モデル選択支援プログラムにより実現される。
【０１７８】
上述した各ステップ（評価モデル選択支援方法）を実行する評価モデル選択支援プログラムは、適宜の記憶装置（例えばコンピュータが内蔵する記憶装置またはコンピュータに接続された外部記憶装置）を介して適宜の記憶媒体に格納することが可能である。記憶媒体に記憶することにより、異なる場所にある評価モデル選択支援システムに対しても容易に評価モデル選択支援プログラムを適用することが可能となる。
【０１７９】
なお、記憶媒体としては、マスクＲＯＭ、フラッシュＲＯＭといった半導体装置、ハードディスク、フレキシブルディスク、ＭＯディスク、ＣＤ―ＲＯＭ、ＤＶＤ―ＲＯＭ、ＢＤ―ＲＯＭ、光磁気ディスク、ＩＣカード、磁気テープなどを適用することができ、コンピュータプログラムを記録することが可能であればどのような他の記憶媒体であっても良い。また、評価モデル選択支援プログラムそのものを通信により伝送して送信先の記憶媒体に記録することも可能である。
【０１８０】
前述した通り、本実施の形態に係る評価モデル選択支援方法では、評価モデル用情報収集ステップ（ステップＳ２００）は、評価モデルと対応させて、評価モデルの実行により算出される内容を示す算出情報を収集し、評価モデル用情報記憶ステップ（ステップＳ２１０）は、評価モデルと対応させて、評価モデル用情報収集ステップ（ステップＳ２００）で収集された算出情報を記憶し、結果表示ステップ（ステップＳ４５０）は、実行可能モデルと対応させて、評価モデル用情報記憶ステップ（ステップＳ２１０）で記憶された算出情報を表示することを特徴とする。
【０１８１】
また、本実施の形態に係る評価モデル選択支援方法では、結果表示ステップ（ステップＳ４５０）により対応づけて表示された１つ以上の実行可能モデルと使用データの組み合わせの中から１つの組み合わせを決定する実行モデル決定ステップ（ステップＳ４７０）を備えることを特徴とする。
【０１８２】
また、本実施の形態に係る評価モデル選択支援方法では、評価モデル用情報収集ステップで収集される指数算出用データ情報が示す種類に属するデータは、部品１台当たりの面積を示す部品面積データであり、算出ステップ（ステップＳ４３０）は、製品の生産に用いられる全部品の面積の合計値に対する、使用データ収集ステップ（ステップＳ４２０）で使用データとして収集された全ての部品面積データが示す面積の合計値の割合を、結果精度指数として算出することを特徴とする。
【０１８３】
また、本実施の形態に係る評価モデル選択支援方法では、算出ステップ（ステップＳ４３０）は、製品の生産に用いられる全部品の個数に対する、使用データ収集ステップ（ステップＳ４２０）で使用データとして収集された部品面積データの個数の割合を、実行可能モデルの実行に要する時間の度合を示す実行時間指数として算出し、結果表示ステップ（ステップＳ４５０）は、実行可能モデルと対応させて、算出ステップ（ステップＳ４３０）で算出された実行時間指数を表示することを特徴とする。
【０１８４】
また、本実施の形態に係る評価モデル選択支援プログラムでは、評価モデル用情報収集ステップ（ステップＳ２００）は、コンピュータに、評価モデルと対応させて、評価モデルの実行により算出される内容を示す算出情報を収集させ、評価モデル用情報記憶ステップ（ステップＳ２１０）は、コンピュータに、評価モデルと対応させて、評価モデル用情報収集ステップ（ステップＳ２００）で収集された算出情報を記憶させ、結果表示ステップ（ステップＳ４５０）は、コンピュータに、実行可能モデルと対応させて、評価モデル用情報記憶ステップ（ステップＳ２１０）で記憶された算出情報を表示させることを特徴とする。
【０１８５】
また、本実施の形態に係る評価モデル選択支援プログラムでは、コンピュータに、結果表示ステップ（ステップＳ４５０）により対応づけて表示された１つ以上の実行可能モデルと使用データの組み合わせの中から１つの組み合わせを決定させる実行モデル決定ステップ（ステップＳ４７０）を備えることを特徴とする。
【０１８６】
また、本実施の形態に係る評価モデル選択支援プログラムでは、評価モデル用情報収集ステップ（ステップＳ２００）で収集される指数算出用データ情報が示す種類に属するデータは、部品１台当たりの面積を示す部品面積データであり、算出ステップ（ステップＳ４３０）は、コンピュータに、製品の生産に用いられる全部品の面積の合計値に対する、使用データ収集ステップ（ステップＳ４２０）で使用データとして収集した全ての部品面積データが示す面積の合計値の割合を、結果精度指数として算出させることを特徴とする。
【０１８７】
また、本実施の形態に係る評価モデル選択支援プログラムでは、算出ステップ（ステップＳ４３０）は、コンピュータに、製品の生産に用いられる全部品の個数に対する使用データ収集ステップ（ステップＳ４２０）で使用データとして収集された部品面積データの個数の割合を、実行可能モデルの実行に要する時間の度合を示す実行時間指数として算出させ、結果表示ステップ（ステップＳ４５０）は、コンピュータに、実行可能モデルと対応させて、算出ステップ（ステップＳ４３０）で算出された実行時間指数を表示させることを特徴とする。
【図面の簡単な説明】
【０１８８】
【図１】発明の実施の形態に係る評価モデル選択支援システムの機能構成の概略を示す機能ブロック図である。
【図２】本発明の実施の形態に係る評価モデル選択支援システムにおいて、表示部へ表示される処理モード選択画面の一例を示す図である。
【図３】本発明の実施の形態に係る評価モデル選択支援システムにおいて、評価モデル用情報収集部により実行される評価モデル用情報の収集に際し、表示部へ表示される評価モデル用情報収集画面の一例を示す図である。
【図４】本発明の実施の形態に係る評価モデル選択支援システムにおいて、表示部へ表示されるデータ情報コード一覧画面の一例を示す図である。
【図５】本発明の実施の形態に係る評価モデル選択支援システムにおいて、評価モデル用情報データベースに格納されている内容の一例を示す図表である。
【図６】本発明の実施の形態に係る評価モデル選択支援システムにおいて、既知データ収集部により実行されるデータの収集に際し、表示部へ表示される既知データ収集画面の一例を示す図である。
【図７】本発明の実施の形態に係る評価モデル選択支援システムにおいて、既知データデータベースに記憶されているファイルデータ情報テーブルの内容の一例を示す図表である。
【図８】本発明の実施の形態に係る評価モデル選択支援システムにおいて、情報定義部よる情報定義に際し、表示部へ表示されるデータ情報コード定義画面の一例を示す図である。
【図９】本発明の実施の形態に係る評価モデル選択支援システムにおいて、情報定義データベースに格納されている内容の一例を示す図表である。
【図１０】本発明の実施の形態に係る評価モデル選択支援システムにおいて、実行可能モデル抽出部による実行可能モデルの抽出後、表示部へ表示される実行可能モデル抽出結果確認画面の一例を示す図である。
【図１１】本発明の実施の形態に係る評価モデル選択支援システムにおいて、使用データ収集部により実行されるデータの収集に際し、表示部へ表示される使用データ収集画面の一例を示す図である。
【図１２】本発明の実施の形態に係る評価モデル選択支援システムにおいて、使用データ収集部により実行されるデータの収集に際し、表示部へ表示される使用データ収集（詳細入力）画面の一例を示す図である。
【図１３】本発明の実施の形態に係る評価モデル選択支援システムにおいて、使用データ収集部により実行されるデータの収集に際し、表示部へ表示される使用データ収集（指数算出用）画面の一例を示す図である。
【図１４】図１３の使用データ収集（指数算出用）画面の格納内容表示欄に表示される内容の一例を示す図である。
【図１５】本発明の実施の形態に係る評価モデル選択支援システムにおいて、算出結果データベースに格納されている内容の一例を示す図表である。
【図１６】本発明の実施の形態に係る評価モデル選択支援システムにおいて、表示部に表示される結果精度指数確認画面の一例を示す図表である。
【図１７】本発明の実施の形態に係る評価モデル選択支援システムにおいて実行される評価モデル選択支援方法の処理の動作を示すフローチャートである。
【符号の説明】
【０１８９】
１  入力部
２  表示部（結果表示手段）
３  処理モード取得部
４  評価モデル用情報収集部（評価モデル用情報収集手段）
５  評価モデル用情報データベース（評価モデル用情報記憶手段）
６  既知データ収集部（既知データ収集手段）
７  既知データデータベース（既知データ記憶手段）
８  情報定義部
９  情報定義データベース
１０  実行可能モデル抽出部（実行可能モデル抽出手段）
１１  使用データ収集部（使用データ収集手段）
１２  算出部（算出手段）
１３  算出結果データベース
１４  実行モデル決定部（実行モデル決定手段）
１５  制御部
１６  パス
１００  処理モード選択画面
１０１  評価モデル用情報の収集ボタン
１０２  既知のデータの収集ボタン
１０３  実行モデルの決定ボタン
１０４  終了ボタン
２００  評価モデル用情報収集画面
２０１  評価モデルコード入力欄
２０２  必要データ情報入力欄
２０３  算出情報入力欄
２０４  指数算出用データ情報入力欄
３００  データ情報コード一覧画面
３０１  データ情報コード表示欄
３０３  コード定義ボタン
４００  既知データ収集画面
４５０  ファイルデータ情報テーブル
５００  データ情報コード定義画面
５０２  構成入力欄
６００  実行可能モデル抽出結果確認画面
６０２  使用データ収集画面表示ボタン
７００  使用データ収集画面
７０２  モデルコード選択欄
７０３  詳細入力画面表示ボタン
８００  使用データ収集（詳細入力）画面
８０１  モデルコード表示欄
８０２  算出情報表示欄
８０３  使用データ入力欄
８０６  編集ボタン
９００  使用データ収集（指数算出用）画面
９０１  必要データ情報（指数算出用）表示欄
９０２  ファイル名表示欄
９０３  格納内容表示欄
９０５  スクロールバー
１０００  結果精度指数確認画面
１００１  結果精度指数情報表示欄
１００２  詳細参照ボタン
１００３  他条件算出ボタン
１００４  Ｎｏ選択欄
１００５  実行モデル・使用データ決定ボタン
２０５、３０４、４０５、５０３、８０７、９０６  確定ボタン
２０６、３０５、４０６、５０４、６０３、７０４、８０８、９０７、１００６  中止ボタン
３０２、９０４  チェックボックス
４０１、８０４  ファイル名入力欄
４０３、５０１  データ情報コード入力欄
２０７〜２１０、４０４、８０５  一覧ボタン
６０１、７０１  実行可能モデル情報表示欄
【図１】
2009116406.tif 000003
【図２】
2009116406.tif 000004
【図３】
2009116406.tif 000005
【図４】
2009116406.tif 000006
【図５】
2009116406.tif 000007
【図６】
2009116406.tif 000008
【図７】
2009116406.tif 000009
【図８】
2009116406.tif 000010
【図９】
2009116406.tif 000011
【図１０】
2009116406.tif 000012
【図１１】
2009116406.tif 000013
【図１２】
2009116406.tif 000014
【図１３】
2009116406.tif 000015
【図１４】
2009116406.tif 000016
【図１５】
2009116406.tif 000017
【図１６】
2009116406.tif 000018
【図１７】
2009116406.tif 000019